(57)【要約】【課題】寸法の異なる複数種の蛍光灯を容易に取出すことができる蛍光灯収容ケースを提供する。【解決手段】内部に第１蛍光灯１１が鉛直方向に立てられた状態で収容されるとともに、上部に第１蛍光灯１１の取出口が形成された長収容部２と、内部に第１蛍光灯１１より長さが短い第２蛍光灯１２が鉛直方向に立てられた状態で収容されるとともに、上部に第２蛍光灯１２の取出口が形成された短収容部３と、を備え、長収容部２および短収容部３は、互いに並設されている。【選択図】図１
0003206960.tif 000002
【実用新案登録請求の範囲】
【請求項１】
内部に第１蛍光灯が鉛直方向に立てられた状態で収容されるとともに、上部に第１蛍光灯の取出口が形成された長収容部と、
内部に第１蛍光灯より長さが短い第２蛍光灯が鉛直方向に立てられた状態で収容されるとともに、上部に第２蛍光灯の取出口が形成された短収容部と、を備え、
前記長収容部および前記短収容部は、互いに並設されていることを特徴とする蛍光灯収容ケース。
【請求項２】
前記長収容部および前記短収容部それぞれの取出口の鉛直方向の位置は、互いに同等になっていることを特徴とする請求項１に記載の蛍光灯収容ケース。
【請求項３】
前記長収容部の内部は、前記鉛直方向に沿って延びる隔壁により、横方向に複数の小収容部に区画され、
複数の前記小収容部のうちの少なくとも１つは、さらに小さい容積の個別収容部に区画されていることを特徴とする請求項１又は２に記載の蛍光灯収容ケース。
【請求項４】
前記長収容部は直方体状をなし、
前記長収容部の外側面のうち、上面視において長辺部分をなす前後面のうちの少なくとも一方には、搬送用キャスタを固定する固定部材が配設されていることを特徴とする請求項１から３のいずれか１項に記載の蛍光灯収容ケース。
【請求項５】
前記長収容部の前後面のうち、前記固定部材が配設されている面は、全域にわたって平坦状に形成されていることを特徴とする請求項４に記載の蛍光灯収容ケース。
【請求項６】
前記短収容部は、前記長収容部の外側面のうち、前記固定部材が外部に露出して配設される面を回避した面に配設されていることを特徴とする請求項４又は５に記載の蛍光灯収容ケース。
【請求項７】
前記長収容部は直方体状をなし、
前記短収容部は、前記長収容部の外側面のうち、上面視において短辺部分をなす両横面に、各別に配設されていることを特徴とする請求項１から６のいずれか１項に記載の蛍光灯収容ケース。
【請求項８】
前記短収容部の底部は、前記長収容部の鉛直方向の中間部分に位置していることを特徴とする請求項１から７のいずれか１項に記載の蛍光灯収容ケース。
【請求項９】
前記短収容部の外側面の上部には、外部に向けて横方向に開口自在な側蓋が配設されていることを特徴とする請求項１から８のいずれか１項に記載の蛍光灯収容ケース。
【請求項１０】
前記短収容部よりも鉛直方向の長さが短い補助収容部が配設されていることを特徴とする請求項１から９のいずれか１項に記載の蛍光灯収容ケース。
【考案の詳細な説明】
【技術分野】
【０００１】
本考案は、蛍光灯収容ケースに関する。
【背景技術】
【０００２】
従来、蛍光灯収容ケースとして、例えば下記特許文献１に示されるように、内部に蛍光灯が鉛直方向に立てられた状態で収容され、上部に取出口が形成された蛍光灯収容ケースが知られている。
【先行技術文献】
【特許文献】
【０００３】
【特許文献１】特開２００５−７５５５５号公報
【考案の概要】
【考案が解決しようとする課題】
【０００４】
しかしながら、前記従来の蛍光灯収容ケースでは、内部の鉛直方向の長さが一様であるため、仮に寸法の異なる複数種の蛍光灯を収容すると、短い蛍光灯の上端部は、取出口から下方に離れた位置に位置していることとなる。このため、短い蛍光灯を取出す際に、手を取出口から収容部の内部に入れて、この蛍光灯を引き上げる必要があり、取出し作業が困難であるといった問題があった。
【０００５】
本考案は、前述した事情に鑑みてなされたものであって、寸法の異なる複数種の蛍光灯を容易に取出すことができる蛍光灯収容ケースを提供することを目的とする。
【課題を解決するための手段】
【０００６】
前記課題を解決するために、本考案に係る蛍光灯収容ケースは、内部に第１蛍光灯が鉛直方向に立てられた状態で収容されるとともに、上部に第１蛍光灯の取出口が形成された長収容部と、内部に第１蛍光灯より長さが短い第２蛍光灯が鉛直方向に立てられた状態で収容されるとともに、上部に第２蛍光灯の取出口が形成された短収容部と、を備え、前記長収容部および前記短収容部は、互いに並設されていることを特徴とする。
【０００７】
この考案によれば、第１蛍光灯が収容される長収容部と、第１蛍光灯よりも長さが短い第２蛍光灯が収容される短収容部と、が並設されているので、第２蛍光灯を短収容部に収容すると、短収容部の取出口から近い位置に、第２蛍光灯の上端部が位置することとなる。これにより、寸法の異なる複数種の蛍光灯を容易に取出すことができる。
【０００８】
また、前記長収容部および前記短収容部それぞれの取出口の鉛直方向の位置は、互いに同等になってもよい。
この場合には、長収容部と短収容部それぞれの取出口の鉛直方向の位置が、互いに同等になっているので、寸法の異なる複数種の蛍光灯をともに交換するような作業の際に、それぞれの蛍光灯を容易に取出すことができる。
【０００９】
また、前記長収容部の内部は、前記鉛直方向に沿って延びる隔壁により、横方向に複数の小収容部に区画され、複数の前記小収容部のうちの少なくとも１つは、さらに小さい容積の個別収容部に区画されてもよい。
この場合には、長収容部が鉛直方向に沿って延びる隔壁により、複数の小収容部が区画され、このうちの少なくとも１つが、さらに小さい容積の個別収容部に区画されている。このため、例えば、個別収容部が区画されていない小収容部に包装がされた新品の第１蛍光灯を収容し、個別収容部に、使用済みの第１蛍光灯を収容することで、新品および使用済みの第１蛍光灯それぞれの取扱性を確保することができる。
【００１０】
また、前記長収容部は直方体状をなし、前記長収容部の外側面のうち、上面視において長辺部分をなす前後面のうちの少なくとも一方には、搬送用キャスタを固定する固定部材が配設されてもよい。
この場合には、固定部材により、搬送用キャスタを蛍光灯収容ケースに固定することで、容易に蛍光灯収容ケースを搬送することができる。また、固定部材が長収容部の外側面のうち、上面視において長辺部分をなす前後面のいずれか一方に配設されているので、搬送時の蛍光灯収容ケースの姿勢を安定させることができる。
【００１１】
また、前記長収容部の前後面のうち、前記固定部材が配設される面は、全域にわたって平坦状に形成されてもよい。
この場合には、固定部材により搬送用キャスタが固定される面が、全域にわたって平坦状に形成されているので、蛍光灯収容ケースを搬送用キャスタに確実に固定することができる。
【００１２】
また、前記短収容部は、前記長収容部の外側面のうち、前記固定部材が外部に露出して配設される面を回避した面に配設されてもよい。
この場合には、短収容部が、固定部材が配設されていない外側面に配設されているので、搬送用キャスタを取り外すことなく短収容部からの蛍光灯の取出し作業を行うことができる。これにより、蛍光灯の交換を例えば建屋内の広い範囲で行う場合等において、作業性を確保することができる。
【００１３】
また、前記長収容部は直方体状をなし、前記短収容部は、前記長収容部の外側面のうち、上面視において短辺部分をなす両横面に、各別に配設されてもよい。
この場合には、長収容部の両横面に、短収容部が各別に配設されているので、蛍光灯収容ケースの重量バランスが良くなるとともに、左右どちらの短収容部からも第２蛍光灯を取出すことができる。
【００１４】
また、前記短収容部の底部は、前記長収容部の鉛直方向の中間部分に位置してもよい。
この場合には、短収容部の底部が、長収容部の鉛直方向の中間部分に位置しているので、例えば階段の上まで蛍光灯収容ケースを運ぶような際に、短収容部の底部を持ち上げることで、容易に蛍光灯収容ケースを運ぶことができる。
【００１５】
また、前記短収容部の外側面の上部には、外部に向けて横方向に開口自在な側蓋が配設されてもよい。
この場合には、短収容部の外側面の上部に側蓋が配設されている。このため、短収容部に収容した特に短い蛍光灯を取出す際に、この側蓋を開口させることで、短収容部の取出口から短収容部内に手を入れて、特に短い蛍光灯を引き上げることなく、この蛍光灯を短収容部の外側面から容易に取出すことができる。
【００１６】
また、前記短収容部よりも鉛直方向の長さが短い補助収容部が配設されてもよい。
この場合には、補助収容部を用いて寸法の異なる更に多くの種類の蛍光灯を収容できるとともに、例えば蛍光灯の交換作業において使用される機器類を補助収容部の１つに収容することで、蛍光灯の交換作業の作業性を向上することができる。
【考案の効果】
【００１７】
本考案によれば、寸法の異なる複数種の蛍光灯を容易に取出すことができる。
【図面の簡単な説明】
【００１８】
【図１】本考案に係る蛍光灯収容ケースの一実施形態を示す斜視図である。
【図２】図１に示す蛍光灯収容ケースの搬送時の側面図である。
【考案を実施するための形態】
【００１９】
以下、本考案に係る蛍光灯収容ケースの実施形態について説明する。
図１に示すように、蛍光灯収容ケース１は、内部に第１蛍光灯１１が鉛直方向に立てられた状態で収容されるとともに、上部に第１蛍光灯１１の取出口が形成された長収容部２を備えている。
以下の説明において、鉛直方向において蛍光灯収容ケース１から見て取出口側を上方、反対側を下方とする。また、鉛直方向に直交する方向を横方向とする。
【００２０】
蛍光灯収容ケース１は直方体状をなしており、プラスティック製段ボールにより形成されている。蛍光灯収容ケース１は、長収容部２と、内部に第１蛍光灯１１より長さが短い第２蛍光灯１２が鉛直方向に立てられた状態で収容される短収容部３と、短収容部３よりも鉛直方向に短い補助収容部４と、長収容部２および短収容部３の取出口を開閉自在な蓋５と、を備えている。
【００２１】
長収容部２は、直方体状をなしており、蛍光灯収容ケース１の横方向の中央部に配設されている。長収容部２の内部は、鉛直方向に延びる隔壁２ｃにより、複数の小収容部２ａに横方向に区画されている。図示の例では、横方向に２つの小収容部２ａに区画されている。また、小収容部２ａのうちの１つは、さらに小さい容積の個別収容部２ｂに区画されている。個別収容部２ｂは上面視において格子状を呈している。個別収容部２ｂそれぞれの上面視における大きさは互いに同等であり、第１蛍光灯１１の大きさと同等となっている。このため、個別収容部２ｂを設けることで、長収容部２内にデッドスペースをなくすことができる。
【００２２】
長収容部２の外側面のうち、上面視において長辺部分をなす前後面には、後述する搬送用キャスタ８を固定する固定部材６が配設されている。
図示の例では、固定部材６は弾性を備えたベルト状をなし、長収容部２の外側面を周方向に囲繞している。すなわち、固定部材６が、短収容部３内に収容され、短収容部３によって外部から覆われている。固定部材６は鉛直方向に間隔を空けて２つ配設されている。なお、固定部材６としてはこのような態様に限られず、固定部材６は、長収容部２の外側面のうち、上面視において長辺部分をなす前後面のうちの一方にのみ配設されてもよいし、固定部材６は、鉛直方向に１つ又は３つ以上配設されてもよい。
【００２３】
また、長収容部２の前後面のうち、固定部材６が配設されている面は、全域にわたって平坦状に形成されている。図示の例では、長収容部２の前後面のうち、固定部材６が外部に露出している面が、全域にわたって平坦状に形成されている。
長収容部２の外側面のうち、上面視において短辺部分をなす両横面には、短収容部３が各別に配設されている。短収容部３は、長収容部２の外側面のうち、固定部材６が外部に露出して配設される面を回避した面に配設されている。長収容部２および短収容部３は、横方向に互いに並設されている。
【００２４】
短収容部３は、偏平な直方体状をなしている。上面視において、短収容部３の外側面のうち、長収容部２の外側面と互いに隣接する面の横方向の寸法が、この隣接する面と直交し、厚み方向に延びる面の横方向の寸法よりも長くなっている。短収容部３の上部には取出口が形成されている。長収容部２および短収容部３それぞれの取出口の鉛直方向の位置は、互いに同等になっている。すなわち、長収容部２および短収容部３それぞれの上端部の位置が、互いに同等となっている。
【００２５】
蓋５は、長収容部２および短収容部３の取出口に、これらを一体に開閉自在に配設されている。図示の例では、蓋５は、短収容部３の開口端縁のうち、横方向の外端部に接続されている。なお蓋５としてはこのような態様に限られず、蓋５は、長収容部２の開口端縁に接続されてもよい。また、長収容部２の取出口と、短収容部３の取出口と、を個別に開閉自在な複数の蓋５が、長収容部２および短収容部３に各別に配設されてもよい。
【００２６】
短収容部３は、長収容部２よりも鉛直方向に短くなっており、短収容部３の底部は、長収容部２の鉛直方向の中間部分に位置している。図示の例では、短収容部３の底部は、長収容部２の鉛直方向の中央付近に位置している。
短収容部３の外側面の上部には、外部に向けて横方向に開口自在な側蓋３ａが配設されている。
【００２７】
側蓋３ａは、鉛直方向に折り曲げ可能に形成され、面ファスナー７により、短収容部３の外側面に対して離反自在に配設されている。面ファスナー７は、短収容部３の外側面のうち、側蓋３ａの上端部、および側蓋３ａの折り曲げ部分の下方に位置する部分に、横方向で対向する部分にそれぞれ２つずつ配設されている。これにより、側蓋３ａを鉛直方向に段階的に開口することができる。
【００２８】
補助収容部４は、短収容部３の下方に各別に配設されている。補助収容部４は、直方体状をなし、長収容部２と並設されている。
補助収容部４のうち、上面視で長収容部２の外側面と互いに隣接する面の横方向の寸法は、この隣接する面と直交し、厚み方向に延びる面の横方向の寸法よりも長くなっている。補助収容部４の厚み方向の寸法は、短収容部３の厚み方向の寸法よりも大きくなっている。
補助収容部４の底部は、長収容部２の底部よりも上方に位置している。
【００２９】
補助収容部４の取出口には、この取出口を開閉自在なカバー４ａが配設されている。カバー４ａは補助収容部４の開口端縁のうち、長収容部２と隣接する部分に接続されている。カバー４ａの先端には、補助収容部４の取出口を閉じた状態で下方に向けて垂れ、補助収容部４の外側面と当接するフラップ４ｂが形成されている。フラップ４ｂには、両面に面ファスナー７が配設されている。
【００３０】
フラップ４ｂにおいて、フラップ４ｂが閉じた状態で横方向の外側を向く外面には、面ファスナー７ａが配設され、フラップ４ｂが閉じた状態で横方向の内側を向く内面には、面ファスナー７ｂが配設されている。
面ファスナー７ａは、フラップ４ｂを開いた状態で、補助収容部４の上方に位置し、長収容部２の外側面に配設された面ファスナー７と付着される。面ファスナー７ｂは、フラップ４ｂを閉じた状態で、補助収容部４の外側面に配設された面ファスナー７に付着される。
【００３１】
次に、以上のように構成された蛍光灯収容ケース１の作用について説明する。
まず、第１蛍光灯１１のうち、新品は個別の包装がなされた状態で、長収容部２のうち、個別収容部２ｂが区画されていない小収容部２ａに収容される。また、第１蛍光灯１１のうち、使用済み品は包装がなされていない状態で、個別収容部２ｂに収容される。
これにより、長収容部２に収容された第１蛍光灯１１の状態を容易に確認できるとともに、包装がなされていない使用済み品を、個別収容部２ｂの隔壁２ｃにより保護し、搬送に際して破損するのを抑えることができる。
【００３２】
次に、短収容部３には、第２蛍光灯１２が収容される。短収容部３には第２蛍光灯１２よりも短い第３蛍光灯１３を収容してもよい。第３蛍光灯１３を取出す際には、蓋５を開口したうえで、さらに短収容部３の側蓋３ａを開口することで、短収容部３に取出口から下方に向けて手を入れて、第３蛍光灯１３を引き上げることなく、短収容部３の外側面から第３蛍光灯１３を取出すことができる。
図示の例では、短収容部３に新品の第２蛍光灯１２と、使用済みの第３蛍光灯１３と、を収容しているが、例えば、長収容部２の両横面に各別に配設された短収容部３のうち、一方に新品を収容し、他方に使用済み品を収容してもよい。
【００３３】
補助収容部４には、例えばテスターや工具等といった、蛍光灯の交換作業において共に使用される各種の備品を収容することができる。補助収容部４のカバー４ａのフラップ４ｂを、面ファスナー７により長収容部２の外側面に付着しておくことで、蛍光灯の交換作業の際に、補助収容部４から各種の備品を取出しやすくすることができる。なお、補助収容部４には、第３蛍光灯１３やさらに短い蛍光灯を収容してもよい。
【００３４】
蛍光灯収容ケース１を搬送する際には、図２に示すように、蛍光灯収容ケース１を搬送用キャスタ８に載置する。搬送用キャスタ８は、固定部材６により蛍光灯収容ケース１に固定する。
図示の例では、長収容部２の外側面のうち、上面視で長辺をなす前後面の一方に搬送用キャスタ８が固定されている。搬送用キャスタ８は、スペーサ９を介して長収容部２に固定されている。スペーサ９を長収容部２の前後面における横方向の全域にわたって配設することで、固定部材６により、搬送用キャスタ８を蛍光灯収容ケース１に確実に固定することができる。
また、階段のような段差部において蛍光灯収容ケース１を運ぶ際には、搬送用キャスタ８を引き上げるとともに、短収容部３又は補助収容部４の底部を持ち上げてもよい。
【００３５】
以上説明したように、本実施形態に係る蛍光灯収容ケース１によれば、第１蛍光灯１１が収容される長収容部２と、第１蛍光灯１１よりも長さが短い第２蛍光灯１２が収容される短収容部３と、が並設されている。このため、第２蛍光灯１２を短収容部３に収容すると、短収容部３の取出口から近い位置に、第２蛍光灯１２の上端部が位置することとなる。これにより、寸法の異なる複数種の蛍光灯を容易に取出すことができる。
また、長収容部２と短収容部３それぞれの取出口の鉛直方向の位置が、互いに同等になっているので、寸法の異なる複数種の蛍光灯をともに交換するような作業の際に、それぞれの蛍光灯を容易に取出すことができる。
【００３６】
また、長収容部２が鉛直方向に沿って延びる隔壁２ｃにより、複数の小収容部２ａが区画され、このうちの少なくとも１つが、さらに小さい容積の個別収容部２ｂに区画されている。このため、例えば、個別収容部２ｂが区画されていない小収容部２ａに包装がされた新品の第１蛍光灯１１を収容し、個別収容部２ｂに、使用済みの第１蛍光灯１１を収容することで、新品および使用済みの第１蛍光灯１１それぞれの取扱性を確保することができる。
【００３７】
また、長収容部２は直方体状をなし、長収容部２の外側面のうち、上面視において長辺部分をなす前後面のうちの少なくとも一方には、搬送用キャスタ８を固定する固定部材６が配設されている。このため、固定部材６により、搬送用キャスタ８を蛍光灯収容ケース１に固定することで、容易に蛍光灯収容ケース１を搬送することができる。また、固定部材６が長収容部２の外側面のうち、上面視において長辺部分をなす前後面のいずれか一方に配設されているので、搬送時の蛍光灯収容ケース１の姿勢を安定させることができる。
【００３８】
また、固定部材６により搬送用キャスタ８が固定される面が、全域にわたって平坦状に形成されているので、蛍光灯収容ケース１を搬送用キャスタ８に確実に固定することができる。
また、短収容部３は、長収容部２の外側面のうち、固定部材６が外部に露出して配設される面を回避した面に配設されているので、搬送用キャスタ８を取り外すことなく短収容部３からの蛍光灯の取出し作業を行うことができる。これにより、蛍光灯の交換を、例えば建屋内の広い範囲で行う場合において、作業性を確保することができる。
【００３９】
また、長収容部２は直方体状をなし、短収容部３は、長収容部２の外側面のうち、上面視において短辺部分をなす両横面に、各別に配設されている。このため、蛍光灯収容ケース１の重量バランスが良くなるとともに、左右どちらの短収容部３からも第２蛍光灯１２を取出すことができる。
また、短収容部３の底部は、長収容部２の鉛直方向の中間部分に位置しているので、例えば階段の上まで蛍光灯収容ケース１を運ぶような際に、短収容部３の底部を持ち上げることで、容易に蛍光灯収容ケース１を運ぶことができる。
【００４０】
また、短収容部３の外側面の上部には、外部に向けて横方向に開口自在な側蓋３ａが配設されている。このため、短収容部３に収容した特に短い蛍光灯を取出す際に、この側蓋３ａを開口させることで、短収容部３の取出口から短収容部３内に手を入れて、特に短い蛍光灯を引き上げることなく、この蛍光灯を短収容部３の外側面から容易に取出すことができる。
【００４１】
また、短収容部３よりも鉛直方向の長さが短い補助収容部４が配設されているので、補助収容部４を用いて寸法の異なる更に多くの種類の蛍光灯を収容できる。また、例えば蛍光灯の交換作業において使用される機器類を補助収容部４に収容することで、蛍光灯の交換作業の作業性を向上することができる。
【００４２】
なお、本考案の技術範囲は、上記実施形態に限定されるものではなく、本考案の趣旨を逸脱しない範囲において、種々の変更を加えることが可能である。
【００４３】
例えば、上記実施形態においては、長収容部２および短収容部３それぞれの取出口の鉛直方向の位置が互いに同等である構成を示したが、このような態様に限られない。長収容部および短収容部それぞれの取出口の鉛直方向の位置は互いにことなっていてもよい。
また、長収容部２が、隔壁２ｃにより小収容部２ａと個別収容部２ｂとに区画されている構成を示したが、このような態様に限られない。長収容部は隔壁２ｃにより区画されていなくてもよい。
【００４４】
また、長収容部２の外側面のうち、上面視において長辺部分をなす前後面のうちの少なくとも一方に、固定部材６が配設された構成を示したが、このような態様に限られない。固定部材は、長収容部の外側面のうち、上面視において短辺部分をなす横面に配設されてもよいし、長収容部に配設されなくてもよい。
また、長収容部２の前後面のうち、固定部材６が配設されている面が全域にわたって平坦状に形成された構成を示したが、このような態様に限られない。固定部材が配設されている面は、凹凸状に形成されてもよい。
【００４５】
また、短収容部３が、長収容部２の外側面のうち、固定部材６が外部に露出して配設される面を回避した面に配設されている構成を示したが、このような態様に限られない。短収容部は、長収容部の外側面のうち、固定部材が外部に露出して配設される面に配設されてもよい。
また、短収容部３が、長収容部２の外側面のうち、上面視において短辺部分をなす両横面に、各別に配設されている構成を示したが、このような態様に限られない。短収容部は、長収容部の横面のうちのいずれかにのみ配設されてもよい。
【００４６】
また、短収容部３の底部が、長収容部２の鉛直方向の中間部分に位置している構成を示したが、このような態様に限られない。短収容部の底部は、長収容部の底部と鉛直方向に同等の位置に位置していてもよい。
また、短収容部３の外側面の上部には、外部に向けて横方向に開口自在な側蓋３ａが配設されている構成を示したが、このような態様に限られない。短収容部に側蓋が配設されなくてもよい。
【００４７】
また、蛍光灯収容ケース１に補助収容部４が配設されている構成を示したが、このような態様に限られない。補助収容部は配設されなくてもよい。
その他、本考案の趣旨に逸脱しない範囲で、前記実施形態における構成要素を周知の構成要素に置き換えることは適宜可能であり、また、前記した変形例を適宜組み合わせてもよい。
【符号の説明】
【００４８】
１  蛍光灯収容ケース
２  長収容部
２ａ  小収容部
２ｂ  個別収容部
２ｃ  隔壁
３  短収容部
３ａ  側蓋
４  補助収容部
６  固定部材
８  搬送用キャスタ
１１  第１蛍光灯
１２  第２蛍光灯
【図１】
0003206960.tif 000003
【図２】
0003206960.tif 000004